(57)【要約】【課題】使用しない場合は、電源コード等のコードを内部に収納することのできるマッサージ機を提供する。【解決手段】マッサージ機構およびマッサージ機構を駆動する駆動部を有するマッサージ機本体と、マッサージ機本体を覆う袋状カバー２とを備えたマッサージ機であって、袋状カバー２の上面に貫通孔２０を設け、貫通孔２０のマッサージ機構側に軟質部材からなる筒状体２１を取り付けるとともに、駆動部に接続された電源コード２２等のコードを筒状体２１に通して貫通孔２０から外部に引き出し、さらに筒状体２１と電源コード２２等のコードを共に筒状体２１の外周側から締付具２７で締め付ける。【選択図】        図１
2004216041.tif 000002
【特許請求の範囲】
【請求項１】
マッサージ機構および該マッサージ機構を駆動する駆動部を有するマッサージ機本体と、前記マッサージ機本体を覆うカバーと、を備えたマッサージ機であって、
前記カバーの上面に貫通孔を設け、前記貫通孔の前記マッサージ機構側に軟質部材からなる筒状体を取り付けるとともに、前記駆動部に接続された電源コード等のコードを前記筒状体に通して前記貫通孔から外部に引き出し、さらに前記筒状体と前記電源コード等のコードを共に前記筒状体の外周側から締付具で締め付けたことを特徴とするマッサージ機。
【請求項２】
請求項１に記載のマッサージ機において、
前記筒状体は、前記マッサージ機本体に設けられた緩衝体に保持されていることを特徴とするマッサージ機。
【発明の詳細な説明】
【０００１】
【発明の属する技術分野】
本発明は、マッサージ機構を駆動する駆動部を有するマッサージ機に関する。
【０００２】
【従来の技術】
従来より、マッサージ機としては、椅子式のマッサージ機やマットレスタイプのマッサージ機などがある。
【０００３】
椅子式のマッサージ機は一般にサイズが大きく、広い設置面積を必要とする。また、重量も大きく、簡単に持ち運びことはできない。
【０００４】
一方、マットレスタイプのマッサージ機は椅子式のマッサージ機に比べて軽量ではあるが、人がマッサージを受ける際には床等に広げなければならず、広い設置面積が必要である。
【０００５】
そこで、座布団のように持ち運び自由で、任意な場所でマッサージを行うことのできる可搬性のあるマッサージ機が考えられている。このようなマッサージ機としては、例えば図４に示すようなマッサージ機１が考えられる。このマッサージ機１は袋状カバー２で覆われ、全体が円柱形状をなしている。マッサージ機１は、その内部にマッサージ機構および該マッサージ機構を駆動する駆動部が設けられ、床面などに設置して使用される。
【０００６】
マッサージ機として使用しない場合は、図４に示すように、マッサージ機１の上面にクッション材を含む蓋体３を被せて、マッサージ機１の上部周縁部と蓋体３の下部周縁部をファスナ４で互に結合すれば、クッションとしても使用可能である。
【０００７】
【発明が解決しようとする課題】
ところで、上記マッサージ機において、駆動部に接続された電源コードおよびリモコンコードをマッサージ機の側面から外部に引き出すと、クッションとして使用したときに、電源コードやリモコンコードが邪魔になる。
【０００８】
また、クッションとして使用している最中に電源コードやリモコンコードが人体に絡まる恐れもあるため、これらのコードがマッサージ機の側面から引き出されるのは問題である。
【０００９】
本発明の課題は、使用しない場合は、電源コード等のコードを内部に収納することのできるマッサージ機を提供することにある。
【００１０】
【課題を解決するための手段】
上記課題を解決するために、本発明の特徴部分は、マッサージ機として使用しないときは、電源コード等のコードをマッサージ機上面に収納できる構成にしたことである。例えば、本発明は、マッサージ機構および該マッサージ機構を駆動する駆動部を有するマッサージ機本体と、前記マッサージ機本体を覆うカバーとを備えたマッサージ機であって、前記カバーの上面に貫通孔を設け、前記貫通孔の前記マッサージ機構側に軟質部材からなる筒状体を取り付けるとともに、前記駆動部に接続された電源コード等のコードを前記筒状体に通して前記貫通孔から外部に引き出し、さらに前記筒状体と前記電源コード等のコードを共に前記筒状体の外周側から締付具で締め付けたことを特徴としている。
【００１１】
上記構成によれば、電源コード等のコードをマッサージ機上面の貫通孔から外部に引き出したので、電源コード等のコードをマッサージ機の上面に容易に収納することができる。この場合、筒状体と電源コード等のコードを共に筒状体の外周側から締付具で締め付けたので、収納時に電源コード等のコードがマッサージ機の内部に入り込むのを防止できる。
【００１２】
【発明の実施の形態】
以下、本発明の実施の形態を図面に従って説明する。
図１は本発明に係るマッサージ機の要部断面図、図２は図１をコードに沿って切断したときのＡ方向から見た図である。また、図３はマッサージ機本体の斜視図である。
【００１３】
マッサージ機１には、図３に示すように、全体が短尺の円柱形状をなし、その上面にマッサージ機構１０が設けられている。このマッサージ機構１０は、揉み玉１１と、揉み玉１１が上面に取り付けられた取付板１２と、取付板１２の下側に設けられ一側のヒンジ１３を介して取付板１２を固定する固定板１４とを備えている。固定板１４の端部には駆動軸１５が取り付けられている。
【００１４】
駆動軸１５は、マッサージ機１内部に設けられたモータ等（図示省略）の駆動部に連結されている。そして、駆動部によって駆動軸１５が駆動されることにより、固定板１４は駆動軸１５を中心にして矢印Ｂ方向に回動する。１６はマッサージ機１の上部枠部材１７に設けられたプレートであり、このプレート１６は固定板１４を下側から支持している。本実施の形態では、マッサージ機構１０および上記駆動部がマッサージ機本体を構成している。
【００１５】
図には示してないが、取付板１２と固定板１４との間にはエアバッグが設けられており、このエアバッグに空気を出し入れすることにより、揉み玉１１は取付板１２と共にヒンジ１３を中心にして矢印Ｃ方向に回動する。
【００１６】
揉み玉１１、取付板１２および固定板１４等は、マッサージ機１の中心軸に関して左右対称な位置に一対ずつ設けられており、揉み玉１１の間に人の首や肩などを置いて、固定板１４を矢印Ｂ方向に回動させつつ、取付板１２を矢印Ｃ方向に回動させることで、揉み玉１１によって首や肩などをマッサージすることができる。
【００１７】
マッサージ機１は、図４および図５に示すように、全体が袋状カバー２で覆われている。この袋状カバー２は繊維材で形成されている。また、マッサージ機１の上面にはクッション材を含む蓋体３を被せることができ、この蓋体３も袋状カバー１８で覆われている。袋状カバー２の上部周縁部および袋状カバー１８の下部周縁部にはそれぞれファスナ４Ａ，４Ｂが設けられ、ファスナ４Ａ，４Ｂを結合すれば、マッサージ機１と蓋体３は互いに連結されてクッションとしても使用することができる。
【００１８】
次に、本実施の形態におけるマッサージ機１の特徴部分について説明する。
本マッサージ機１では、図１および図２に示すように、袋状カバー２の上面周縁近傍に貫通孔２０が形成され、この貫通孔２０の下側（マッサージ機構１０側）に軟質部材（例えば繊維材）からなる筒状体２１が取り付けられている。筒状体２１の内部には、マッサージ機構１０を駆動するモータ等に接続された電源コード２２、および前記モータ等を制御してマッサージの強弱を調節するためのリモコンコード２３が挿通されている。つまり、電源コード２２とリモコンコード２３は上部枠部材１７を貫通し、さらに筒状体２１内部を通って、袋状カバー２の貫通孔２０からマッサージ機１の外部に引き出されている。なお、電源コード２２の端部にはプラグ２２Ａが、リモコンコード２３の端部にはリモコン操作部２３Ａがそれぞれ取り付けられている。
【００１９】
マッサージ機１の内部には、上部枠部材１７に結合された側部枠部材２４が設けられている。また、図には示してないが、側部枠部材２４の下部には上部枠部材１７に対向して底部枠部材が設けられ、これら上部枠部材１７、側部枠部材２４および底部枠部材によって、マッサージ機としての基本的な形が保持されている。モータ等の駆動部は、上部枠部材１７、側部枠部材２４および底部枠部材で形成された空間内に設けられている。
【００２０】
側部枠部材２４の外周は緩衝材としてのウレタンからなる第１クッション材２５で覆われている。また、第１クッション材２５の上部には、緩衝材としてウレタンからなるリング形状の第２クッション材２６が固着されている。そして、第１クッション材２５、第２クッション材２６、上部枠部材１７、側部枠部材２４、底部枠部材、およびマッサージ機本体が袋状カバー２で覆われている。
【００２１】
第２クッション材２６の内周面には、袋状カバー２の貫通孔２０に対向して切欠部２６Ａが形成されている。また、この切欠部２６Ａは、電源コード２２およびリモコンコード２３が上部枠部材１７から引き出された箇所の近傍に位置している。
【００２２】
筒状体２１の中央部は電源コード２２およびリモコンコード２３と共に外側から、プラスチック製または金属製の締付具２７で締め付けられている。また、筒状体２１は上半分が切欠部２６Ａに収納されており、さらに筒状体２１が嵌合された切欠部２６Ａにはテープ２８が貼り付けられている。
【００２３】
上記構成において、電源コード２２およびリモコンコード２３がマッサージ機１の上面から外部に引き出されているので、電源コード２２およびリモコンコード２３等のコードを図５に示すようにマッサージ機の上面に収納することができる。そして、マッサージ機として使用しない場合は、図４に示したようにマッサージ機１の上面に蓋体３を被せておくことで、コード等は別に収納部等を設けることなく、マッサージ機と一体として収納可能となる。
【００２４】
本実施の形態によれば、電源コード２２およびリモコンコード２３をマッサージ機の上面に収納する際に、筒状体２１が電源コード２２およびリモコンコード２３と共に外側から締付具２７で締め付けられているので、電源コード２２およびリモコンコード２３がマッサージ機の内部に入り込むのを防止することができるとともに、貫通孔から、駆動部等が設けられたマッサージ機内部に使用者が誤って指等を侵入させることを防止できる。
【００２５】
また、筒状体２１が嵌合された切欠部２６Ａにテープ２８が貼り付けられているので、筒状体２１を切欠部２６Ａに強固に固定することができる。
【００２６】
なお、本実施の形態において、筒状体２１は袋状カバー２と同一部材でもよいし、別部材でもよい。
【００２７】
【発明の効果】
以上説明したように、本発明によれば、電源コード等のコードがマッサージ機の上面に引き出されているので、電源コード等のコードをマッサージ機の上面に容易に収納することができる。
【図面の簡単な説明】
【図１】本発明に係るマッサージ機の要部断面図である。
【図２】図１をコードに沿って切断してＡ方向から見た図である。
【図３】マッサージ機本体の斜視図である。
【図４】本発明に係るマッサージ機に蓋体を取り付けたときの斜視図である。
【図５】本発明に係るマッサージ機の上面に電源コードとリモコンコードを収納したときの斜視図である。
【符号の説明】
１  マッサージ機
２  袋状カバー
３  蓋体
４  ファスナ
１０  マッサージ機構
１１  揉み玉
１２  取付板
１３  ヒンジ
１４  固定板
１５  駆動軸
１７  上部枠部材
２０  貫通孔
２１  筒状体
２２  電源コード
２３  リモコンコード
２４  側部枠部材
２５  第１クッション材
２６  第２クッション材
２６Ａ  切欠部
２７  締付具
２８  テープ
【図１】
2004216041.tif 000003
【図２】
2004216041.tif 000004
【図３】
2004216041.tif 000005
【図４】
2004216041.tif 000006
【図５】
2004216041.tif 000007